(57)【要約】【課題】グレアを確実に低減することができる照明器具を提供する。【解決手段】光源２１および反射板２２からの照射光のみならず、照明器具１０の内部構造２４等に反射した反射光も、グレアカット角θよりも大きな出射角φで出射されるようにコーン２６の形状を設定した。このため、グレアカット角θよりも小さな角度で照射される光を遮断して、確実にグレアを低減することができる。【選択図】図１
2010123538.tif 000002
【特許請求の範囲】
【請求項１】
光源と、光源からの光線を所定方向へ反射する反射板と、前記光源および前記反射板を保持する灯体と、前記灯体を保持する器具本体と、前記器具本体に設けられ前記光源からの光線を所定の範囲に規制するコーンと、を有する照明器具であって、
前記コーンを、前記コーンに入射した光の当該コーンからの出射角がグレアカット角よりも大きくなるように形成したことを特徴とする照明器具。
【発明の詳細な説明】
【技術分野】
【０００１】
本発明は、光源および反射板からの光の照射範囲をコーンにより規制してグレアの低減を図る照明器具に関するものである。
【背景技術】
【０００２】
従来より、天井等に埋め込んで使用されるダウンライトにおいて、光源および反射板からの光の照射範囲をコーンにより規制して、グレアの低減が行われている（例えば特許文献１参照）。
【０００３】
特許文献１に記載のダウンライトにおいては、楕円体形状の反射板と、この反射板の内部空間に配置された光源ランプと、反射板の下方に配置され、上端から下端に向けて全体として縮径する形状を有する略筒状体とを有する。そして、略筒状体の下側に、下方に向けて裾拡がり状の略筒状形状を有するコーン部を設けた。
【０００４】
また、コーン部は円錐台の周側面の形状を有しており、コーン部の内面と水平線とのなす角度（鋭角）が３０〜６０°に設定している。これにより、照射光のまぶしさが殆ど感じられないものとなり、グレア防止を図っている。
また、略筒状体は、下方に向けて縮径するグレア防止部を有しており、グレア防止部の内周面から内方に向けて複数の段部が突設されている。これにより、グレア防止を図っている。
【特許文献１】特開２００８−１６４１７号公報
【発明の開示】
【発明が解決しようとする課題】
【０００５】
ところで、図２および図３に示すように、ランプ１０１および反射板１０２を保持する灯体１０３が器具本体１０４に対して回動可能に設けられ、器具本体１０４にコーン１０５が設けられている照明器具１００では、灯体１０３を回動させることにより、ランプ光ＬＢの向きが変化する。このような照明器具１００では、複雑な回動機構等の内部構造を有するため、種々の部材を有しており、内部構造に光が照射すると、反射光は複雑な様子を呈する。
【０００６】
すなわち、図２に示すように、照明器具１００の内部構造、例えば器具本体１０４において灯体１０３を旋回可能に支持しているリング部材１０６等にランプ光ＬＢが当たって反射した場合に、リング部材１０６からの反射光ＬＢ１が、グレアカット角θよりも小さな角度α１で照射される場合がある。このような場合には、設定されたグレアカット角度よりも外側に反射光ＬＢ１がもれることになり、十分なグレアカットが行われないという問題があった。
また、コーン１０５の上部開口は、グレアの低減を図るために縮径されており、照射面の照度が低下するという問題もある。
【０００７】
さらに、図３に示すように、ランプ１０１あるいは反射板１０２からのランプ光ＬＢが、内部構造であるリング部材１０６に当たって反射し、さらにコーン１０５に当たって反射して反射光ＬＢ２が照射された場合にも、反射光ＬＢ２が、グレアカット角θよりも小さな角度α２で照射される場合がある。このような場合にも、設定されたグレアカット角度よりも外側に反射光ＬＢ１がもれることになり、十分なグレアカットが行われないという問題があった。
【０００８】
本発明は、従来の問題を解決するためになされたもので、グレアを確実に低減することができる照明器具を提供することを目的とする。
【課題を解決するための手段】
【０００９】
本発明の照明器具は、光源と、光源からの光線を所定方向へ反射する反射板と、前記光源および前記反射板を保持する灯体と、前記灯体を保持する器具本体と、前記器具本体に設けられ前記光源からの光線を所定の範囲に規制するコーンと、を有する照明器具であって、前記コーンを、前記コーンに入射した光の当該コーンからの出射角がグレアカット角よりも大きくなるように形成した構成を有している。
【００１０】
この構成により、光源および反射板からの照射光のみならず、照明器具の内部構造等に反射した反射光も、グレアカット角よりも大きな出射角度でコーンから出射されるようにコーンの形状を形成した。このため、グレアカット角よりも小さな角度で照射される光を遮断して、確実にグレアを低減することができる。
【発明の効果】
【００１１】
本発明は、光源および反射板からの照射光のみならず、照明器具の内部構造等に反射した反射光も、グレアカット角よりも大きな出射角度でコーンから出射されるようにコーンの形状を形成した。このため、グレアカット角よりも小さな角度で照射される光を遮断して、確実にグレアを低減することができるという効果を有する照明器具を提供することができるものである。
【発明を実施するための最良の形態】
【００１２】
以下、本発明の実施の形態の照明器具について、図面を用いて説明する。
図１は本発明の実施の形態にかかる照明器具を示す断面図である。
【００１３】
図１に示すように、本発明の実施形態にかかる照明器具としてのダウンライト１０は、例えば天井１１等の被取付部に設けられている開口１２に取り付けられて天井裏１３に収容され、下方へ照明光を照射するものである。
【００１４】
ダウンライト１０は、光源であるランプ２１と、ランプ２１からの光線を所定方向へ反射する反射板２２と、ランプ２１および反射板２２を保持する灯体２３を有する。灯体２３は器具本体２４において水平方向へ旋回可能な旋回台２５に、上下方向へ回動可能に保持されており、照射方向が調整可能となっている。器具本体２４の下側には、ランプ２１および反射板２２からの光線ＬＢを所定の範囲に規制するコーン２６が設けられている。
なお、器具本体２４および旋回台２５等の内部構造は、光を反射しにくいように、黒色等に塗装されている。
【００１５】
コーン２６はお椀を伏せたような形状をしており、内面は鏡面状に仕上げられている。上部開口２６１はできるだけ大きく開口して、照射面の照度が低下しないようにしている。さらに、上部開口２６１から下部開口２６２へと、徐々に内径が大きくなっている。
そして、コーン２６の内面に入射した光は、全て任意に設定されているグレアカット角θよりも大きな出射角度φで出射するようにコーン２６の全体形状を設定している。
【００１６】
例えば、図１に示すように、ランプ２１から照射された光線ＬＢ１は反射板２２で反射され、反射光ＬＢ２は入射角φ２でコーン２６に入射する。コーン２６に入射した反射光ＬＢ２は、コーン２６で反射して、反射光ＬＢ３はグレアカット角θよりも大きな反射角φ（すなわち下向き）で照射される。
なお、ここでコーン２６への入射光としては、ランプ２１からの照射光および上述した反射板２２からの反射光のみならず、ダウンライト１０の内部構造である器具本体２４や旋回台２５等、全ての部位を含むものである。
【００１７】
以上、説明した本発明の実施形態にかかるダウンライト１０によれば、ランプ２１および反射板２２からの照射光のみならず、ダウンライト１０の内部構造（２４、２５）等に反射した反射光も全て、グレアカット角θよりも大きな出射角度φでコーン２６から出射されるので、グレアカット角θよりも小さな角度で照射される光を遮断して、確実にグレアを低減することができる。これにより、照射面の光ムラを低減することができる。
【００１８】
なお、本発明の照明器具は、前述した実施形態に限定されるものでなく、適宜な変形，改良等が可能である。
例えば、前述した実施形態において、照明器具としてダウンライト１０を例示したが、この他、スポットライト等の照明器具にも適用可能である。
【図面の簡単な説明】
【００１９】
【図１】本発明の実施の形態にかかる照明器具を示す断面図
【図２】従来の照明器具における問題点を示す断面図
【図３】従来の照明器具における別の問題点を示す断面図
【符号の説明】
【００２０】
１０  照明器具
２１  ランプ（光源）
２２  反射板
２３  灯体
２４  器具本体
２６  コーン
φ  出射角
θ  グレアカット角
【図１】
2010123538.tif 000003
【図２】
2010123538.tif 000004
【図３】
2010123538.tif 000005